(57)【特許請求の範囲】
【請求項１】
車体フレームのヘッドパイプの近傍にイグニッションスイッチが配設されている鞍乗型の車両であって、
前記車体フレームが、前記ヘッドパイプから後方に向かって左右方向に二股に分かれたフレーム部材を有し、
前記ヘッドパイプの近傍の前記フレーム部材の間で、左右両側が前記フレーム部材に囲まれた位置にスペースが設けられ、前記スペースに、前記イグニッションスイッチと、前記イグニッションスイッチに電源系ハーネスで接続されたリレーボックスとが配設され、前記イグニッションスイッチよりも後方に前記リレーボックスが配置されている、鞍乗型車両。
【請求項２】
前記ヘッドパイプから後方に離間して燃料タンクが配設され、
前記スペースは、前記ヘッドパイプと前記燃料タンクとの間における前記ヘッドパイプと近接する位置に設けられ、
前記リレーボックスは、前記スペースの前記イグニッションスイッチの後方で、前記フレーム部材に左右に架け渡されたクロスパイプに取り付けられている、請求項１に記載の鞍乗型車両。
【請求項３】
前記スペースは、前記イグニッションスイッチよりも後方において、前記フレーム部材が左右方向に二股に分かれた部分と、前記ヘッドパイプとの間で、左右に配置されて後方のエアクリーナに吸気を導く一対の吸気ダクトの間に設けられている、請求項２に記載の鞍乗型車両。
【請求項４】
前記燃料タンクの前端よりも後方にＥＣＵが配設され、
前記リレーボックスは、前後方向を厚み方向とする形状を有する、請求項２又は３に記載の鞍乗型車両。
【請求項５】
前記イグニッションスイッチは、前記スペースに配置され、
前記リレーボックスは、前後方向を厚み方向とし、かつ上下方向を長手方向とする形状を有する、請求項１乃至４のいずれか１つに記載の鞍乗型車両。
【請求項６】
前記スペースには、前記リレーボックスに電源系ハーネスで接続されるヒューズボックスが配設され、
前記ヒューズボックスは、電装品カバーに覆われ、
前記リレーボックスおよび前記ヒューズボックスは、前後方向を厚み方向とし、かつ上下方向を長手方向とする形状をそれぞれ有し、前記スペースに左右に並んで配置されている、請求項１乃至５のいずれか１つに記載の鞍乗型車両。
【請求項７】
車体フレームのヘッドパイプの近傍にイグニッションスイッチが配設されている鞍乗型の車両であって、
前記ヘッドパイプから後方に離間して、燃料タンクが配設され、
前記ヘッドパイプと、前記燃料タンクとの間には、レギュレータを含む電源系電装品が配設される電装品配設スペースが設けられ、
前記レギュレータのケースに放熱板が設けられ、この放熱板が前記ヘッドパイプの下端よりも下方に位置して前方から走行風が直接当たるように配置されている一方、前記ケースに接続されたハーネスのカプラは、走行風が直接当たらないように前記車体フレームに固定されたブラケットの後方に配置されている、鞍乗型車両。
【請求項８】
前記イグニッションスイッチは、前記車体フレームに取り付けられている、請求項１乃至７のいずれか１つに記載の鞍乗型車両。
【発明の詳細な説明】
【技術分野】
【０００１】
本発明は例えば自動二輪車等の鞍乗型車両に関連し、大きな電流の流れるレギュレータやリレーボックスのような電源系の電装品のレイアウトに関する。
【背景技術】
【０００２】
従来より自動二輪車等、鞍乗型の車両ではエンジン部品や電装品のような車両装備品の配置スペースを確保するために種々、工夫がなされている。一例として特許文献１に記載の自動二輪車では、ヘッドパイプから左右に分岐して後方に延びるメインフレームに囲まれ、且つ上方の燃料タンクと下方の吸気チャンバとの間に挟まれるようにして、樹脂製の部品取付部材が配設され、この部品取付部材に複数の部品が取り付けられている。【０００３】
前記の部品取付部材には取付腕、係止片、ガイド片等が一体成形され、イグニッションコイル、ＣＤＩユニット、カプラー、スイッチ、リレー等々の電装品を工具なしに簡単に取り付けできるようになっている。また、その部品取付部材の前方においてヘッドパイプから左右に分岐するメインフレームの間には、ブラケットを介してレギュレータが取り付けられている。【０００４】
ところで、レギュレータやリレーのような電源系の電装品は比較的大きな電流が流れることから、その温度上昇を抑える必要があり、自動二輪車の場合はエンジンの熱の影響に注意しなくてはならない。この点について特許文献２には、吸気系のエアクリーナの上面にレギュレータを配設し、下方のエンジンからの熱を遮るとともに、エアクリーナの内部を流れる空気によってレギュレータの放熱を促すようにしている。【０００５】
詳しくは、特許文献２に記載の自動二輪車は、燃料タンクの位置を後方寄りにしてタンクカバーの後半部のみに配置し、その前方、即ちタンクカバーの前半部にはエアクリーナを収容するとともに、このエアクリーナの上面と、その上方を覆うタンクカバーとの間の狭いスペースにレギュレータを配設している。また、レギュレータと横並びに制御ユニットも配設している。
【先行技術文献】
【特許文献】
【０００６】
【特許文献１】特開平０７−３０９２７５号公報
【特許文献２】特開２００６−１２３６５６号公報
【発明の概要】
【発明が解決しようとする課題】
【０００７】
前記特許文献２のものではエアクリーナの上面とタンクカバーとの間の狭いスペースにレギュレータと制御ユニットとを配設しているので、それ以上のスペースの余裕がなく、レギュレータと同様の電源系電装品であるリレーボックスやヒューズボックスを配設することはできない。したがってリレーボックスやヒューズボックスは、従来一般的なシート下のスペースなどに配設されていると考えられる。【０００８】
そうすると、前記のようにタンクカバーの前半部、即ちヘッドパイプの近傍に配設されたレギュレータとリレーボックスやヒューズボックスとを、つまり電源系の電装品同士を繋ぐハーネスが長くなってしまい、重量が嵩む上にコストの上昇を招くことになる。比較的大きな電流が流れる電源系のハーネスは、その導線が太いだけではなく、これを絶縁し保護するための被覆も厚いので、重量が嵩み高コストになる。しかも、このような太いハーネスは曲げ難いので、車体への組付け作業性にも難がある。【０００９】
かかる点に鑑みて本発明の目的は、鞍乗型の車両における電源系電装品のレイアウトに工夫をすることで、太くて重く組付けのし難い電源系のハーネスをできるだけ短くして、重量およびコストの削減と作業性の改善とを図ることにある。
【課題を解決するための手段】
【００１０】
前記の目的を達成すべく本発明は、車体フレームのヘッドパイプの近傍にイグニッションスイッチが配設されている鞍乗型の車両を対象とし、そのヘッドパイプから後方に離間させて燃料タンクおよびエアクリーナをそれぞれ配設して、ヘッドパイプとその後方の燃料タンクおよびエアクリーナとの間に、少なくともイグニッションのリレーボックスを含む電源系電装品が二つ以上、配設される電装品配設スペースを設けている。【００１１】
前記の構成によれば、燃料タンクおよびエアクリーナの双方を後寄りに配置して、それらの前方に十分に大きな電装品配設スペースを確保したので、このスペースにはイグニッションのリレーボックスやレギュレータ等、二つ以上の電源系電装品を互いに近接させて配設することができる。よって、それらを繋ぐ電源系のハーネスを短くすることができ、重量およびコストの削減と組付け作業性の改善とが図られる。【００１２】
また、一般的に鞍乗型の車両では、ユーザの操作性を考慮してヘッドパイプの近傍にイグニッションスイッチが配設されており、このイグニッションスイッチとイグニッションリレーとを繋ぐハーネスが短くなることも、重量およびコストの削減に寄与する。【００１３】
好ましくは前記の電源系電装品として、リレーボックス、レギュレータおよびヒューズボックスの全てを前記電装品配設スペースに配設してもよい。こうすれば電源系のハーネスの削減効果が非常に高くなり、重量およびコストを大幅に削減できる。組付け作業性の改善効果も高い。【００１４】
また、発熱の大きなレギュレータについては、そのケースに設けた放熱板が、ヘッドパイプの下端よりも下方に位置して前方から走行風が直接、当たるように配置してもよい。一方、レギュレータのケースに接続されたハーネスのカプラは、走行風が直接当たらないように前記車体フレームに固定されたブラケットの後方に配置するのが好ましい。こうすれば、カプラからレギュレータのケース内に雨水等が侵入することを防ぎつつ、レギュレータからの放熱を効果的に促進できる。【００１５】
また、ヒューズボックスについてはレギュレータよりも上方のスペースに配置し、その上方を着脱可能なカバーで覆ってもよい。こうすればヒューズの交換が容易になるから、整備性が向上する。その着脱可能なカバーは、後方の燃料タンクを覆うタンクカバーと一体に設けてもよいし、タンクカバーとは別体としてもよいが、いずれの場合もタンクカバーと一体的に連続するような外観とすれば、意匠性に優れる。【００１６】
また、電装品配設スペースの後方に位置する燃料タンクおよびエアクリーナについては、燃料タンクを相対的に上方に配置し、その下方にエアクリーナを配置するとともに、このエアクリーナの上面に凹部を形成してＥＣＵを収納してもよい。ＥＣＵは制御系の電装品であり、これに繋がる信号線は一本ずつは太くないが、その本数が多いことから、それらを束ねたハーネスはかなり太い。【００１７】
そこで、前記のように複数の電源系電装品を電装品配設スペースに配設した上で、これらを制御するＥＣＵを電装品配設スペースの後方近くに配置すれば、それらを繋ぐ制御系のハーネスも短くすることができ、重量およびコストの削減に大きく寄与する。しかも、制御系のハーネスが短くなることはノイズ防止の面でも有利である。樹脂製のエアクリーナは電磁シールドとしても機能するので、その上面の凹部に収納したＥＣＵへのノイズの影響を軽減できる。【００１８】
ところで、上述したように燃料タンクおよびエアクリーナの前方に、二つ以上の電源系電装品を配設できるような大きな電装品配設スペースを設けようとすれば、その分、燃料タンクの容量が少なくなる可能性がある。また、エアクリーナへ前方から吸気をスムーズに導入し難くなる可能性もある。【００１９】
そこで、エアクリーナの前部には、その前方の電装品配設スペースの左右をそれぞれ前方に延びるよう、左右両側に吸気ダクトを設けてもよい。こうすれば、電装品配設スペースを十分に大きくしても、これを左右に迂回する吸気ダクトによって吸気をエアクリーナにスムーズに導入でき、走行風圧を利用してエアクリーナへの空気の吸い込み効率を高めることも可能になる。また、電装品配設スペースの左右を吸気ダクトが取り囲むようになるので、雨水等からの保護も期待できる。【００２０】
一方、燃料タンクは全体的に後方にずらして配置することによって、容量を確保してもよい。具体的には、鞍乗型車両においてヘッドパイプから後方に延びるメインフレームの後端よりも後方に、燃料タンクの後端部を位置づければよく、こうすれば燃料タンクの前方に所要の大きさの電装品配設スペースを確保しながら、燃料タンクの容量も十分に確保することができる。
【発明の効果】
【００２１】
以上、説明したように本発明に係る鞍乗型車両によると、ヘッドパイプとその後方の燃料タンクおよびエアクリーナとの間に電装品配設スペースを設け、イグニッションのリレーボックスを含む二つ以上の電源系電装品を互いに近づけて配設することで、太くて重い電源系のハーネスを短くして、重量およびコストを削減するとともに、組付作業性も改善できる。イグニッションスイッチとイグニッションリレーとを繋ぐハーネスが短くなることも重量およびコストの削減に寄与する。
【図面の簡単な説明】
【００２２】
【図１】本発明の実施の形態に係る自動二輪車の全体構成を概略的に表した左側面図である。
【図２】同自動二輪車の全体構成を概略的に表した平面図である。
【図３】メインフレームとリヤフレームとの連結構造を拡大して表した斜視図である。
【図４】燃料タンクを取り外して、エアクリーナおよび電源系電装品のレイアウトを表した左後方からの斜視図である。
【図５】エアクリーナも取り外して電源系電装品のレイアウトを表した斜視図である。
【図６】下方から見てレギュレータの配置を表した斜視図である。
【図７】前方から見てレギュレータの配置を表した斜視図である。
【図８】自動二輪車のハーネス全体を表した説明図である。
【発明を実施するための形態】
【００２３】
以下、本発明の実施形態に係る自動二輪車１（鞍乗型車両）について、図面を参照して説明する。図１は、灯火類やカウルなどを取り除いて自動二輪車１の概略的な構成を表す左側面図であり、図２はさらに燃料タンクやシートなども取り除いた平面図である。なお、以下の説明で用いる方向の概念は、自動二輪車に騎乗したライダー（ユーザ）の見る方向を基準とする。
【００２４】
自動二輪車１は、従動輪である前輪２と、駆動輪である後輪３とを備えている。前輪２は、略上下方向に延びる左右一対のフロントフォーク４の下端部に回転自在に支持されており、フロントフォーク４の上部は上下一対のブラケット５を介してステアリング軸（図示せず）に支持されている。このステアリング軸は、自動二輪車１の車体フレームの一部をなすヘッドパイプ６に内挿されて回転自在に支持されている。
【００２５】
上側のブラケット５には左右に分かれたセパレートタイプのハンドル７が取り付けられており、これらのハンドル７を掴んでライダーはフロントフォーク４および前輪２を操舵（ステア）することができる。図示は省略するが、右側のハンドル７には、ユーザの右手によって把持されるスロットルグリップが一体的に設けられ、その前方には前輪２側のブレーキレバーが配設されている一方、左側のハンドル７の前方にはクラッチレバーが配設されている。
【００２６】
図１、２に表れているように自動二輪車１の車体フレームは、ヘッドパイプ６からやや下向きに傾斜しつつ後方へ延びるメインフレーム８を備えている。メインフレーム８は、ヘッドパイプ６から後方に向かって二股に分かれた左右のフレーム部材８０からなり、この例では夫々のフレーム部材８０が、上下に並んだ２本の丸パイプ８０ａ，８０ｂ（図３〜７に符号を付す）によって構成されている。左右のフレーム部材８０の後端は、後述するように閉断面構造を有する概略矩形状のクロスメンバ９によって互いに連結されるとともに、このクロスメンバ９を介してリヤフレーム１０に連結されている。
【００２７】
本実施形態ではリヤフレーム１０は、２枚のプレス鋼板１１ａ，１１ｂ（図３にのみ符号を付す）を左右から重ね合わせてなる閉断面構造のバックボーンフレーム１１と、その後方に連なるリヤパイプフレーム１２とからなる。図２に表れているようにバックボーンフレーム１１は車体幅のほぼ中央を前後に延びており、その上部には、図１に仮想線で表すように、ライダーの騎乗するシート１３が配設されている。同様に仮想線で表すように後方のリヤパイプフレーム１２の上部には、タンデムライダーのためのシート１４も配設されている。
【００２８】
バックボーンフレーム１１は、クロスメンバ９から下方に延びるピボットフレーム部と、やや上向きに傾斜しつつ後方へ延びるリヤステー部とを一体化したものであり、ピボットフレーム部の左右両側にはそれぞれ板状のサブフレーム１５が配設されて、車幅方向に延びるステー等（図示せず）により連結されている。このピボットフレーム部とサブフレーム１５との間に、スイングアーム１６の前端部を揺動可能に支持するピボット軸１６ａが設けられ、スイングアーム１６の後端部には後輪３が回転自在に支持されている。
【００２９】
メインフレーム８の下方には、複数の気筒を有するエンジン２０が搭載されている。このエンジン２０のシリンダブロック２１およびシリンダヘッド２２はやや前傾しており、シリンダブロック２１の前部が、メインフレーム８から下方に垂下するダウンフレーム８１に支持されている。また、シリンダブロック２１の下部にはクランクケース２３が取り付けられ、その後部に一体に設けられたトランスミッションケースがバックボーンフレーム１１に支持されている。トランスミッションケースの左側にはオルタネータ２４が配設されている。
【００３０】
また、シリンダヘッド２１の前部にはシリンダ毎に排気ポートが開口し、これに接続された排気マニホルド２５は、エンジン２０の下方において集合しサイレンサ２６へと接続されている。排気マニホルド２５の上方には、エンジン２０の冷却液と走行風とを熱交換させるラジエータ２７が配設されて、ダウンフレーム８１に支持されている。一方、シリンダヘッド２０の後部には吸気ポートが開口し、これにはスロットルボディ２８が接続されている。このスロットルボディ２８の上部は、吸気を濾過するためのエレメントを収容したエアクリーナ２９の下部に接続されている。
【００３１】
図２に表れているようにメインフレーム８は、ヘッドパイプ６から後方に向かい徐々に左右に広がって、概ね中央部位において幅寸法が最大になった後に、徐々に左右の間隔を狭めながら後方に延びている。エアクリーナ２９は、メインフレーム８の最大幅の部位の近傍からその後端部に亘って配置されていて、左右のフレーム部材８０に囲まれるとともに、図１の他、図４にも表れているように上面が左右のフレーム部材８０よりも上方に膨出している。
【００３２】
また、前記エアクリーナ２９の前部の左右両隅からそれぞれ前方に延びるように吸気ダクト２９ａが設けられている。この例では吸気ダクト２９ａは、フレーム部材８０の上下の丸パイプ８０ａ，８０ｂの間を通って、後述する電装品配設スペースＳの左右両側を囲むように前方に延びている。この吸気ダクト２９ａによって取り入れた走行風をスムーズにエアクリーナ２９の内部に供給し、走行風圧を利用して空気の吸い込み効率を高めることができる。
【００３３】
前記のようにメインフレーム８よりも上方に膨出するエアクリーナ２９の上方から後方にかけて燃料タンク３０が配設され、図１にのみ仮想線で表すタンクカバー３１によって覆われている。これら燃料タンク３０およびタンクカバー３１の前端は概ねエアクリーナ２９の前端に対応するように位置づけられ、一方、後端はメインフレーム８の後端よりも後方にまで延びている。燃料タンク３０の後端部は、メインフレーム８の後端よりも下方にまで延び、リヤフレーム１０の前部とオーバーラップしている。
【００３４】
つまり、本実施形態においてはエアクリーナ２９および燃料タンク３０の双方が全体的に後寄りに配置され、それらの前端部がヘッドパイプ６から後方に大きく離間している。これにより、エアクリーナ２９および燃料タンク３０の双方とヘッドパイプ６との間に所要の大きさのスペース（以下、電装品配設スペースＳという）を確保することができる。図４〜１０を参照して後述するように電装品配設スペースＳには、レギュレータ４１、リレーボックス４２、ヒューズボックス４３等、複数の電源系電装品が配設されている。
【００３５】
−メインフレームおよびリヤフレームの連結構造−
そのように燃料タンク３０を後寄りに配置するために、本実施形態では自動二輪車１のメインフレーム８とリヤフレーム１０とを連結する部分に閉断面構造のクロスメンバ９を用いている。図３は、メインフレーム８およびリヤフレーム１０の連結構造を拡大して表したものであり、まず、メインフレーム８の左右のフレーム部材８０は、それぞれの後端部において上下の丸パイプ８０ａ，８０ｂ同士がジョイント部材８２によって連結され、この左右のジョイント部材８２がそれぞれクロスメンバ９の上部の左右両側に固定されている。
【００３６】
クロスメンバ９は、プレス成形した２枚の鋼板９ａ、９ｂを前後方向に重ね合わせるとともに、その下縁に沿うように厚肉の角パイプ９ｃを溶接して閉断面構造としたものである。この構造によりクロスメンバ９は、省スペースでありながら従来一般的なパイプワークと同等以上の高い剛性を有しており、その上方から後方にかけて燃料タンク３０の後端部が位置する連続したスペースを確保することができる。
【００３７】
すなわち、図３に表れているように、全体として矩形の厚板状のクロスメンバ９が、メインフレーム８の左右のフレーム部材８０の後端部における下側の部位から、後傾しつつ下方に向かって延びていて、その後面から下部にかけてバックボーンフレーム１１の前部が溶接されている。そして、図３には仮想線で表すようにクロスメンバ９の上方から後方にかけて、燃料タンク３０の後端部が位置づけられている。
【００３８】
なお、図３にのみ表すが、バックボーンフレーム１１のリヤステー部にはその左右両側に跨るようにして、燃料タンク３０の後端部を支持する支持部材１１ｃが設けられている。この支持部材１１ｃは、シート１３の取付座としても機能する。また、バックボーンフレーム１１の左側のスペースには燃料タンク３０の後端部の下方に近接して、蒸散燃料を一時貯留してパージするためのキャニスタユニット３３が配設され、その後方やや上側にはバッテリ３４（仮想線で表す）も配設されている。
【００３９】
キャニスタユニット３３は、矩形ボックス状のキャニスタ本体３３ａの上面に、燃料タンク３０の後端部から蒸発燃料を導入するためのホース３５と、キャニスタ本体３３ａ内からスロットルボディ２８に蒸散燃料を導出するためのホース３６とが接続されてなる。このホース３５の途中には蒸散燃料の流量を制御するパージ制御バルブ３３ｂが設けられている。キャニスタユニット３３が燃料タンク３０の近傍に配置されているので、高価なホース３５の短縮化が図られる。
【００４０】
−電源系電装品およびハーネスのレイアウト−
次に、図４〜８を参照して、本実施形態の電源系電装品およびハーネスのレイアウトについて説明する。図４は、燃料タンク３０やタンクカバー３１を取り外して、エアクリーナ２９および電源系電装品のレイアウトを表したもので、図５は、さらにエアクリーナ２９も取り外した斜視図である。また、図６、７はそれぞれ下方および前方から見てレギュレータ４１の配置を表しており、図８は、自動二輪車１におけるハーネスの全体的なレイアウトを表している。
【００４１】
本実施形態の自動二輪車１では、前記したようにエアクリーナ２９および燃料タンク３０を後寄りに配置して、その前方に所要の大きさの電装品配設スペースＳを確保した上で、ここにレギュレータ４１、リレーボックス４２およびヒューズボックス４３といった電源系の電装品を配設し、さらにはイグニッションスイッチ４４や転倒センサ４５も配設している。
【００４２】
図４〜７に表れているようにメインフレーム８の左右のフレーム部材８０の前端には、それぞれの上側の丸パイプ８０ａを上方から覆うようにブラケット８３が重ね合わされて溶接されており、その上部に配設されたブラケット８４にイグニッションスイッチ４４が取り付けられている。また、ブラケット８３の後方において左右のフレーム部材８０の上側の丸パイプ８０ａの間にはクロスパイプ８５が架け渡され、ここにはリレーボックス４２およびヒューズボックス４３が取り付けられている。
【００４３】
同様に前記左右のフレーム部材８０のそれぞれの下側の丸パイプ８０ｂにもクロスパイプ８６が架設され、このクロスパイプ８６にはレギュレータ４１が取り付けられている。図６に下方から見た状態を表すように、レギュレータ４１は金属製のケース４１ａの全体に放熱板４１ｂが設けられており、そのケース４１ａの後縁から折れ曲がって上方に延びる取付片４１ｃがクロスパイプ８６に締結されている。また、レギュレータ４１の前方に近接して左右のダウンフレーム８１同士を繋ぐようにブラケット８７が溶接されており、これにはレギュレータ４１の前面を前方に露出させるように切り欠き部８７ａが形成されている。
【００４４】
すなわち、図７に表すように自動二輪車１の前方から見ると、レギュレータ４１はヘッドパイプ６の下端よりも下方に位置して、そのケース４１ａの前面がブラケット８７の切り欠き部８７ａから前方に臨み、ヘッドパイプ６とラジエータ２７との間の空間を通って前方からの走行風が直接、放熱板４１ｂに当たるように配設されている。このことで、自動二輪車１の走行中には走行風によってレギュレータ４１からの放熱を効果的に促進することができる。
【００４５】
一方で、レギュレータ４１のケース４１ａの左側には、図６に表れているようにハーネスの接続されるカプラ４１ｄが設けられているが、このカプラ４１ｄはブラケット８７の切り欠き部８７ａよりも左側の部分の後方にあって、当該部分が壁となり、走行風が直接、当たることはない。このため、走行風に乗って雨水等がレギュレータ４１の放熱板４１ｂに付着することはあっても、雨水等がカプラ４１ｄからケース４１ａ内に侵入することは防止できる。
【００４６】
そうして電装品配設スペースＳの下部にレギュレータ４１が配置され、走行風によって冷却が図られるのに対して、リレーボックス４２およびヒューズボックス４３は電装品配設スペースＳの上部に配置されている。リレーボックス４２は、図５において実線で表すように右側に配置され、その左側に並んで仮想線で表すようにヒューズボックス４３が配置されている。また、ヒューズボックス４３の前方に近接して転倒センサ４５が配置されている。
【００４７】
そして、それらリレーボックス４２、ヒューズボックス４３および転倒センサ４５は、図１にのみ仮想線で表す電装品カバー４６によって上方から覆われている。電装品カバー４６は一例として樹脂の成型品であり、タンクカバー３１の前方においてメインフレーム８の左右のフレーム部材８０に跨るよう着脱可能に配設されている。この電装品カバー４６によって電装品配設スペースＳの上方が覆われるとともに、電装品配設スペースＳの左右両側は前記のように左右のフレーム部材８０と吸気ダクト２９ａとによって取り囲まれていて、雨水等からの保護が図られている。
【００４８】
また、詳細は図示しないが電装品カバー４６は、その上面及び左右両側面がそれぞれタンクカバー３１の前端部における上面及び左右両側面と連続するような形状とされている。つまり、電装品カバー４６は外観上はタンクカバー３２と一体化されていて、意匠性に優れる。そして、電装品カバー４６の前部には、その前方から上方にかけて開口するような窪みが形成されていて、この窪みの底部を貫通する状態でイグニッションスイッチ４４の上部が上方に突出している。
【００４９】
すなわち、図３，５に表れているようにイグニッションスイッチ４４は、メインフレーム８よりも一段、高いブラケット８４に取り付けられ、ヘッドパイプ６の後方に近接してほぼ平行に上方に延びていて、その上端部は、ライダーが操作しやすいようにヘッドパイプ６の上端よりも高く位置付けられている。図示は省略するがヘッドパイプ６の前方にはヘッドランプやメータ類が配設される。本実施形態ではヘッドランプやメータ類をイグニッションスイッチ４４に邪魔されることなく、ヘッドパイプ６の前側に近接させることができるので、デザインの自由度が高い。
【００５０】
このようにイグニッションスイッチ４４も電装品配設スペースＳに配置したため、リレーボックス４２とを繋ぐハーネスが非常に短くなる。また、電動品配設スペースＳにおいてレギュレータ４１、リレーボックス４２およびヒューズボックス４３を相互に繋ぐ電源系のハーネスも非常に短くて済む。その上さらに本実施形態では、電装品配設スペースＳの直ぐ後方のエアクリーナ２９の上面に、図３に表れているようにエンジンコントロールユニット４８（以下、ＥＣＵ４８という）を配設している。
【００５１】
ＥＣＵ４８は、レギュレータ４１やヒューズボックス４３等とは異なり、制御系の電装品であって、これに繋がる制御系の信号線にはあまり大きな電流は流れない。このため制御系の信号線は一本ずつは太くないが、ＥＣＵ４８に繋がる信号線の数はかなり多いので、それらを束ねたハーネスは太くなる。そこで、エアクリーナ２９の上面には、ＥＣＵ４８を収容する矩形状の収容凹部２９ｂを形成するとともに、前記のように太く束ねたハーネスをまとめて収容するための凹嵌部２９ｃも設けている。
【００５２】
すなわち、図３に表れているようにエアクリーナ２９の上面には、その左側縁に沿って前後に延びる凹嵌部２９ｃが形成され、この凹嵌部２９ｃとＥＣＵ４８の収容凹部２９ｂとの間が幅広の連通溝部２９ｄによって連通されている。そして、ＥＣＵ４８から車体前方および後方にそれぞれ延びる制御系のハーネスが、電装品配設スペースＳのレギュレータ４１、リレーボックス４２およびヒューズボックス４３と後方のオルタネータ２４やバッテリ３４とを繋ぐ電源系のハーネスと一緒に束ねられて、凹嵌部２９ｃに沿って前後方向に延びるメインハーネス４９となっている。
【００５３】
図８には、自動二輪車１における全体的なハーネス５０のレイアウトを、車体などを省略して表しており、図８において左側が自動二輪車１の前方、右側が後方である。車体前方の電装品配設スペースＳから同中央付近までがメインハーネス４９であり、そこから下方のオルタネータ２４との間、さらには後方のバッテリ３４との間にも電源系のハーネス５１、５２が延びている。また、さらに後方へ向かって例えばバックランプやウインカ等（図示せず）に繋がるハーネス５３が延びている一方、電装品配設スペースＳよりも前方に向かって例えばヘッドランプやウインカ、前輪２の車速センサ（図示せず）等に繋がるハーネス５４が延びている。
【００５４】
なお、図８において符号５５を付して表すのは、図示しないホーンや電動ファンに繋がるハーネスであり、同様に符号５４，５５を付して表すのは、それぞれエンジン２０のスロットルボディ２８（図１参照）やインジェクタ（図示せず）に繋がるハーネス、およびＡＢＳユニット（図示せず）に繋がるハーネスである。
【００５５】
図８から判るように電装品配設スペースＳから後方に延びるメインハーネス４９は、かなり太い。しかしながら、このように太いハーネスは他にはなく、従来一般的な自動二輪車に比べると、ハーネス５０全体としてはかなり削減されている。一般に太いハーネスは重量が嵩み、高コストになるのみならず、曲げ難いことから車体への組付け作業性にも難があるが、本実施形態では、前記のように太いメインハーネス４９は概ねメインフレーム８と同じくらいの長さしかない。
【００５６】
しかも、そのように太くて重く、曲げ難いメインハーネス４９が、前記したようにエアクリーナ２９の上面の左側縁に沿う凹嵌部２９ｃに収容される。このため、組立作業時には、ＥＣＵ４８のカプラにメインハーネス４９のソケットを差し込んで、両者を一緒にエアクリーナ２９の上面に対し装着し、ＥＣＵ４８は収容凹部２９ｂに、また、メインハーネス４９は凹嵌部２９ｃにそれぞれ装入すればよい。よって、メインハーネス４９の組付けは非常に容易に行える。
【００５７】
したがって、本実施形態に係る自動二輪車１によると、上述のようにエアクリーナ２９および燃料タンク３０の双方を後寄りに配置し、それらの前方のヘッドパイプ６との間に十分な大きさの電装品配設スペースＳを確保したので、この電装品配設スペースＳに配設したレギュレータ４１、リレーボックス４２、ヒューズボックス４３の三つの電源系電装品を繋ぐ電源系のハーネスを短くすることができる。
【００５８】
また、電装品配設スペースＳの直ぐ後方においてエアクリーナ２９の上面にＥＣＵ４８を配置しており、このＥＣＵ４８から前記レギュレータ４１、リレーボックス４２およびヒューズボックス４３への制御系のハーネスも短くすることができる。こうしてハーネスの削減によって重量およびコストが削減できるとともに、太くて重く曲げ難いハーネスが短くなることで、自動二輪車１への組付け作業性も改善される。
【００５９】
さらに、エアクリーナ２９の上面の収容凹部２９ｂにＥＣＵ４８を収容しているので、樹脂製のエアクリーナ２９が電磁シールドとして機能し、ＥＣＵ４８へのノイズの影響を軽減できる。前記のように制御系のハーネスが短くなることもノイズ防止のために有利である。
【００６０】
また、エアクリーナ２９および燃料タンク３０の前方に大きな電装品配設スペースＳを確保していても、その分、燃料タンク３０全体を後寄りに配置し、その後端部がメインフレーム８の後端よりも後方且つ下方に位置するようにしているので、必要な燃料タンク容量を確保することができる。
【００６１】
−他の実施形態−
上述した実施形態の説明は例示に過ぎず、本発明、その適用物又はその用途を制限するものではない。本発明に係る鞍乗型車両の電源系電装品やハーネスのレイアウトは、本発明の趣旨を逸脱しない範囲で実施形態の構成を変更、追加、又は削除することができる。
【００６２】
例えば前記の実施形態では、電源系電装品であるレギュレータ４１、リレーボックス４２およびヒューズボックス４３が電装品配設スペースＳに配設されているが、これに限らず、少なくともリレーボックス４２を含む二つ以上の電源系電装品が配設されていればよいし、それ以外にも例えばシグナルリレー、エンジンダイアグノーシス装置、ＥＣＵ、ＡＢＳダイアグノーシス装置、バッテリー等の電装品が配設されていてもよい。
【００６３】
また、上述の実施形態では電装品配設スペースＳにおいて相対的に下部にレギュレータ４１が配置され、その上方にリレーボックス４２およびヒューズボックス４３が配設されているが、レギュレータ４１、リレーボックス４２およびヒューズボックス４３の相互の位置関係はそれに限定されない。
【００６４】
また、上述した実施形態の自動二輪車１ではメインフレーム８とリヤフレーム１０とを閉断面構造のクロスメンバ９で連結しているが、これは好ましいフレーム構造の一例にすぎず、それ以外のフレーム構造であっても燃料タンク３０の後端部をメインフレーム８の後端よりも後方に位置づけて、その容量を確保できるものであればよい。
【００６５】
さらに、本発明に係る鞍乗型の車両は自動二輪車１に限らず、例えばＡＴＶ（All Terrain Vehicle:不整地走行車両)、小型運搬車等であってもよいし、その駆動源はエンジン２０に限定されず、例えば電動モータであってもよい。
【産業上の利用可能性】
【００６６】
本発明によれば、鞍乗型車両においてハーネスを削減し、重量およびコストを削減できるとともに組付作業性にも優れるので、この効果の意義が特に大きい自動二輪車に適用して極めて有益である。
【符号の説明】
【００６７】
１            自動二輪車（鞍乗型車両）
６            ヘッドパイプ
８            メインフレーム
９            クロスメンバ
２９          エアクリーナ
２９ａ        吸気ダクト
２９ｂ        ＥＣＵの収容凹部
３０          燃料タンク
４１          レギュレータ（電源系電装品）
４１ａ        ケース
４１ｂ        放熱板
４１ｄ        カプラ
４２          リレーボックス（電源系電装品）
４３          ヒューズボックス（電源系電装品）
４４          イグニッションスイッチ
４６          着脱可能なカバー
４８          ＥＣＵ（エンジンコントロールユニット）
Ｓ            電装品配設スペース
【図１】
0005879346.tif 000002
【図２】
0005879346.tif 000003
【図３】
0005879346.tif 000004
【図４】
0005879346.tif 000005
【図５】
0005879346.tif 000006
【図６】
0005879346.tif 000007
【図７】
0005879346.tif 000008
【図８】
0005879346.tif 000009